(57)【要約】【課題】有機物の分解作用、微生物の殺菌作用及び膜状物の剥離作用に優れた風呂釜洗浄剤を用いて、安全かつ簡易に、そして効果的に風呂釜内の洗浄を行う風呂釜洗浄方法を提供すること。【解決手段】少なくとも風呂水出入穴が水没する水位まで風呂水を浴槽内に張った状態で、風呂水出入穴の浴槽内部側の周囲を所定の容積に区画するように風呂釜洗浄用具を浴槽の壁面に当接する洗浄用具設置工程と、風呂釜洗浄用具で区画された風呂水に、発泡性過炭酸ナトリウムを含有する風呂釜洗浄剤Ａを投入して風呂釜を洗浄する洗浄工程Ａとを含む風呂釜洗浄方法である。【選択図】図１
2008039368.tif 000002
【特許請求の範囲】
【請求項１】
少なくとも風呂水出入穴が水没する水位まで風呂水を浴槽内に張った状態で、風呂水出入穴の浴槽内部側の周囲を所定の容積に区画するように風呂釜洗浄用具を浴槽の壁面に当接する洗浄用具設置工程と、
風呂釜洗浄用具で区画された風呂水に、発泡性過炭酸ナトリウムを含有する風呂釜洗浄剤Ａを投入して風呂釜を洗浄する洗浄工程Ａと、を含むことを特徴とする風呂釜洗浄方法。
【請求項２】
風呂水出入穴の浴槽内部側の周囲を所定の容積に区画するように風呂釜洗浄用具を浴槽の壁面に当接する洗浄用具設置工程と、
少なくとも風呂水出入穴が水没する水位まで風呂水を浴槽内に張る水張工程と、
風呂釜洗浄用具で区画された風呂水に、発泡性過炭酸ナトリウムを含有する風呂釜洗浄剤Ａを投入して風呂釜を洗浄する洗浄工程Ａと、を含むことを特徴とする風呂釜洗浄方法。
【請求項３】
さらに、風呂釜洗浄用具で区画された風呂水に、酸性物質を含有する風呂釜洗浄剤Ｂを投入して風呂釜を洗浄する洗浄工程Ｂを含むことを特徴とする請求項１又は２に記載の風呂釜洗浄方法。
【請求項４】
洗浄工程Ａの後に洗浄工程Ｂを行うことを特徴とする請求項３に記載の風呂釜洗浄方法。
【請求項５】
洗浄工程Ｂの後に洗浄工程Ａを行うことを特徴とする請求項３に記載の風呂釜洗浄方法。
【請求項６】
洗浄工程Ａが、投入された風呂釜洗浄剤Ａを風呂釜内に強制的に循環させる循環工程Ａを含むことを特徴とする請求項１〜５のいずれかに記載の風呂釜洗浄方法。
【請求項７】
自然循環式風呂釜の洗浄方法であって、洗浄工程Ａが、投入された風呂釜洗浄剤Ａを風呂釜内に拡散させる拡散工程Ａを含むことを特徴とする請求項１〜５のいずれかに記載の風呂釜洗浄方法。
【請求項８】
洗浄工程Ａが、拡散工程Ａの後に行われる風呂釜洗浄剤Ａを風呂釜内に強制的に循環させる循環工程Ａ’を含むことを特徴とする請求項７に記載の風呂釜洗浄方法。
【請求項９】
拡散工程Ａにおける風呂水の温度が、３５〜４５℃であることを特徴とする請求項７又は８に記載の風呂釜洗浄方法。
【請求項１０】
洗浄工程Ａが、清浄な水を投入して、風呂釜内の風呂釜洗浄剤Ａを洗い流す水洗工程Ａを含むことを特徴とする請求項１〜９のいずれかに記載の風呂釜洗浄方法。
【請求項１１】
洗浄工程Ｂが、投入された風呂釜洗浄剤Ｂを風呂釜内に強制的に循環させる循環工程Ｂを含むことを特徴とする請求項３〜１０のいずれかに記載の風呂釜洗浄方法。
【請求項１２】
洗浄工程Ｂが、清浄な水を投入して、風呂釜内の風呂釜洗浄剤Ｂを洗い流す水洗工程Ｂを含むことを特徴とする請求項３〜１１のいずれかに記載の風呂釜洗浄方法。
【発明の詳細な説明】
【技術分野】
【０００１】
本発明は、風呂釜の内部を洗浄する風呂釜洗浄方法に関する。
【背景技術】
【０００２】
家庭の浴槽には風呂釜が連結されており、浴槽内の湯水を風呂釜に吸引して風呂釜で加熱し、加熱された温水を浴槽へ戻すことによって浴槽内の湯水の温度を上昇させる循環式のものが知られている。この種の循環式の風呂釜には、自然循環式のものと強制循環式のものとがある。
【０００３】
自然循環式の風呂釜では、浴槽に上下２つの穴が設けられ、浴槽に近接して設置された風呂釜と各々の穴とが管で接続されている。風呂釜が燃焼すると加熱された風呂水が上昇して対流が起こり、下穴から風呂釜に低温水が流入し、加熱された高温水が上穴から浴槽に流出する。高温の流出水によって、浴槽を使用する人が火傷を負わないように、流出水が浴槽の中心部へ向かって直進することを妨げるカバーが通常上穴に設置されている。
【０００４】
強制循環式の風呂釜の場合は、通常、流出口と流入口が近接して浴槽に設置され、１つのカバーで覆われているため、浴槽内には１つの穴しかないように見え、１つ穴式風呂釜とも通称される。釜燃焼時の風呂水の循環は、風呂釜に設けられたポンプにより強制的に実施されるため、自然循環式と異なり、風呂釜は浴槽から離れた位置に設置することも可能である。近年、強制循環式は風呂釜の主流となっており、中でも、流入温水の温度を検知し、一定温度になると風呂釜の加熱、循環を停止するタイプの風呂釜が多く使用されている。
【０００５】
自然対流式であるか強制循環式であるかを問わず、どのようなタイプの風呂釜であっても、人が使用すれば、人体由来の皮脂、老廃物、石鹸カス等が風呂釜やそれと浴槽との連結管に付着し、それらの付着物を栄養源とする微生物が繁殖する。微生物が繁殖すると水に不溶性の多糖類が分泌され、それと皮脂等の付着物とが相俟って、湯垢と呼ばれる膜状の有機物が風呂釜や連結管に付着する。湯垢は風呂釜から風呂水への熱伝導を阻害し、燃料効率を低下させると共に、微生物の供給源となり、レジオネラ菌等の微生物による浴槽水の汚染の原因になる。
【０００６】
自然対流式の風呂釜の洗浄方法としては、例えば、上穴のカバーを外し、ビニールホースを挿入して水道水を勢いよく流入させることによって洗浄する方法がよく知られている。しかし、釜の部分までホースが挿入できず不十分な洗浄しかできない等の欠点があった。また、別の方法として、蛇腹式のプラスチック容器に収納された過炭酸ナトリウムと界面活性剤の混合物に、水を加えスラリー状とした薬剤を、浴槽に温水を張った状態で下穴から風呂釜内に送り込み、数分間放置し付着汚れを除去する方法が知られている。このような方法で用いられる薬剤として、例えば「ジャバ（２つ穴用）」（登録商標）（ジョンソン社製）が市販され、よく知られている。しかし、これらの市販薬剤での効果は弱く、汚れの除去が充分でないため、洗浄後の浴槽使用の際に、残存した汚れが流出し風呂水を汚す現象が起こりやすかった。また、浴槽の縁から下穴までの距離が離れているため、温水を張った状態で人の手でジャバラを操作して薬剤を送り込む作業は困難であり、加えて、下穴から薬剤を送り込む際に、上穴から流出した薬剤が作業中の作業者の目等に入る可能性があるため、危険な作業でもあった。
【０００７】
１つ穴式の風呂釜は、流入口（吸引口）・流出口（吐出口）が一つのカバーで覆われているので、ホース等の挿入による洗浄は不可能である。強制循環式の風呂釜の洗浄方法としては、浴槽に水を張り、この水に過炭酸ナトリウム、アルカリ剤、界面活性剤等を含む薬剤を溶かし、風呂釜に着火し、薬剤が溶解した風呂水を風呂釜内に循環させることによって、風呂釜内の汚れを除去する方法が知られている。このような方法で用いられる薬剤として、例えば「ジャバ（１つ穴用）」（登録商標）（ジョンソン社製）が市販され、よく知られている。しかし、この方法では、２００〜３００Ｌもの風呂水全体に薬剤を溶解させる必要があり、その結果薬剤濃度が低くなるため、汚れの除去効果は不十分なものであった。また、風呂釜の洗浄後に排水することになる薬剤の量が多いため、浄化槽等に悪影響を与えるとともに、洗浄後に風呂釜内に残存した薬剤を洗い流すためには浴槽に新たな水を再度張り込む必要があり、面倒かつ不経済な作業を行う必要があった。
【０００８】
風呂釜の洗浄を簡便かつより効果的に行うための風呂釜洗浄用具が提案されている。例えば、特許文献１には、浴槽の壁面に風呂釜の穴の周囲を囲む様に容器を設置し、液状の洗浄液を設置した容器を介して風呂釜に流し込み、かつ風呂釜に着火し洗浄液を容器を介して循環させ風呂釜に付着した汚れを除去し、洗浄後は洗浄用具を浴槽の壁面からとり外し、洗浄液を廃棄し、ホースからの水道水で流入穴、流出穴と浴槽を洗浄する洗浄用具および洗浄方法が記載されている。また、特許文献１には、人の手で洗浄用具を浴槽壁面に押し付けて設置する方法に加えて、シール部に吸盤構造を備えその吸着力により洗浄用具を浴槽壁面に設置する方法が記載されている。この風呂釜洗浄用具を用いれば、高濃度の洗浄液を風呂釜内に循環させることができ、洗浄剤を有効に利用することができるものの、内部に充填した洗浄液が漏出しないように洗浄用具を隙間なく浴槽の壁面に密着させなければならない。また、風呂釜を作動させた状態で洗浄液を循環させなければならないが、容器の容量が小さいとすぐに洗浄液の温度が上昇して短時間で循環が停止してしまう。ある程度の時間循環を継続させるためには、洗浄用具の容量を大きくして多量の洗浄液が充填できるようにしなければならないが、そのように大容量化すると洗浄液の自重で洗浄用具が脱落しやすくなり、かつ浴槽の壁面との間からの漏出量も増加する。特に２つ穴式の風呂釜の洗浄に用いると、吐出口から吐出される洗浄液の温度が高く、その高温の洗浄液がこぼれて作業者にかかると危険である。
【０００９】
また、特許文献２には、速溶性過炭酸ナトリウムとジシアンジアミドからなる風呂釜洗浄剤組成物が記載されている。さらに、特許文献３には、過炭酸ナトリウムを７５〜１３５℃で加熱処理することにより、水に投入した際にガスを発生し、短時間で溶解する過炭酸ナトリウムとこの過炭酸ナトリウムに界面活性剤等を添加した発泡性漂白剤組成物が記載されている。また、特許文献４には、粉末状過炭酸ナトリウムに非イオン界面活性剤０．０１〜０．５重量％を添加混合し、これを８０〜１４０℃で加熱処理した浮上発泡性過炭酸ナトリウムの製造方法が記載されている。特許文献４には、この浮上発泡性過炭酸ナトリウムは、風呂釜洗浄剤等の用途に利用出来る旨記載されている。
【００１０】
また、特許文献５には過炭酸ナトリウムと過ホウ酸ナトリウムにメタケイ酸ナトリウム等のケイ酸アルカリ化合物を配合したアルミニウムを使用した風呂釜への腐食を低減した風呂釜洗浄剤が記載されており、過炭酸ナトリウムとの配合の際の保存安定性を向上させるためケイ酸アルカリを重炭酸ナトリウムや硫酸ナトリウムと混合造粒した顆粒として配合する組成物も記載されている。
【００１１】
また、特許文献２には、速溶性過炭酸ナトリウム、ジシアンジアミドを含有する風呂釜洗浄剤の漂白洗浄力をさらに向上させるために該風呂釜洗浄剤にプロテアーゼ、リパーゼ等の酵素を添加することが記載されている。
【００１２】
また、ボイラーや湯沸し等の高温水と接触する器材には、水中に溶解していた炭酸カルシウム等の無機物が析出して付着し、スケールを形成することが知られている。しかし、風呂釜内の湯温は４０℃程度であって、風呂釜内の温度も、ボイラー等と比較して比較的低温であるため、風呂釜内に炭酸カルシウムのスケールが付着することは問題とされていなかった。そのため、炭酸カルシウムのスケールの除去を目的とする風呂釜洗浄剤はこれまで知られていなかった。
【００１３】
【特許文献１】特開平８−１５９６９５号公報
【特許文献２】特開平１１−６１１９３号公報
【特許文献３】特開昭５０−７０２８６号公報
【特許文献４】特開昭５９−１９５５０５号公報
【特許文献５】特開昭５５−７８５１号公報
【発明の開示】
【発明が解決しようとする課題】
【００１４】
上述のような状況下、本発明者らは、浴槽内の湯水を吸引して風呂釜に導く吸引口と、風呂釜で加熱された湯水を浴槽に吐出する吐出口とを備えた浴槽に、これら吸引口と吐出口とを覆うようにしてセットされ、洗浄剤が溶解された洗浄水を少なくとも吸引口の開口部分に保持し、洗浄水が風呂釜に吸引されるようにした風呂釜洗浄用具において、吸引口と吐出口とが水没するように湯水が張られた浴槽の壁面にセットされた状態で上部に形成した洗浄剤投入口が水面上に開口することを特徴とする風呂釜洗浄用具を提案している（特願２００５―０３８９７６号参照）。本発明による風呂釜洗浄用具は、浴槽に湯水を張った状態で使用するので、浴槽の水を排出した状態で使用する特許文献１の物と比較して、風呂釜洗浄用具が浴槽の壁面から脱落しづらく、かつ内部の湯水の漏出も少ないので、作業者が洗浄作業中、風呂釜洗浄用具を手で保持し続ける必要がない。
【００１５】
特許文献１の風呂釜洗浄用具を用いる洗浄液は適当な濃度の薬液をあらかじめ調整し、空の洗浄用具を通して風呂釜内に流し込むため、洗浄剤は水に溶解するものであれば、その剤形は問題ではなく、若干溶解性が悪い洗浄剤であっても使用可能であるが、特願２００５―０３８９７６号の風呂釜洗浄用具の場合はあらかじめ風呂釜と洗浄用具には水が張られた状態であるため使用される洗浄剤は低温度の水に容易に溶解し、風呂釜内の水と均一混合した際に一定の洗浄剤の濃度を確保できる高濃度の洗浄液を用具内に充填できるものでなくてはならない。
洗浄剤が液体の場合は水と均一混合が容易であるが特願２００５―０３８９７６号の風呂釜洗浄用具は用具内部の液面が浴槽の液面より高くなった場合は用具内部の液が浴槽に流出する構造となっているため、洗浄剤の濃度は高濃度でなければならず、洗浄剤の濃度が低く用具に注入する洗浄剤の体積が大きな場合は用具内に注入された洗浄剤一部または大部分が用具内の水と一緒に用具外に流出してしまうことになる。
【００１６】
特願２００５―０３８９７６号の風呂釜洗浄用具に使用する洗浄剤は用具内の水に添加しても用具内の液面の上昇が少ない粉末又は顆粒の洗浄剤が好ましく使用されるが、特許文献１に記載の洗浄用具に使用する粉末または顆粒状の洗浄剤はあらかじめ溶解が容易にできる別容器で溶解してから空の用具内に注入可能であるため溶解性が悪い洗浄剤でも使用可能であるが、特願２００５―０３８９７６号の風呂釜洗浄用具に使用する粉末または顆粒状の洗浄剤は、用具外で溶解してから用具内に注入することは前述の液体洗浄剤と同様の理由で困難であり、あらかじめ水の張られた用具内に投入した際に用具内の水に容易に溶解し、風呂釜内の水と均一混合しても有効な洗浄剤濃度が維持できる高濃度の洗浄液を用具内に形成できるものでなくてはならない。
【００１７】
風呂釜の洗浄剤としては従来から使用されている過炭酸ナトリウムは風呂釜の主たる汚れである有機性の湯垢の除去に優れた効果を示すが、通常漂白剤や洗浄剤として使用されている顆粒品は特願２００５―０３８９７６号の風呂釜洗浄用具内の水に投入して使用した場合は顆粒が用具の底に沈んでしまい、加熱循環しても大部分は溶解しないため十分な効果を発揮できない。また、洗浄剤を投入後に攪拌棒等で攪拌しても、用具の開口面積があまり広くなく、底までの水深が深いため用具の底に沈んだ洗浄剤の溶解は面倒かつ困難な作業である。特に強制循環式の風呂釜においては浴槽の湯水の吸入、排出口には大きなカバーが突起状態で設置されており、開口部からの攪拌を困難にしている。
【００１８】
粉末状の過炭酸ナトリウムを使用すると溶解性はかなり速くなるが、用具の底に粉末が沈む現象は完全には解決されず、かつ保存時の安定性が悪くなるとともに、使用時の粉立ちが多くなり使用者の安全が脅かされるため家庭用に使用する風呂釜洗浄剤としては好ましくない。
【００１９】
特許文献２には、速溶性過炭酸ナトリウムとジシアンジアミドからなる風呂釜洗浄剤組成物が記載されている。しかし、速溶性過炭酸ナトリウムとして規定されている過炭酸ナトリウムは、２０℃の水１リットルに攪拌状態で５ｇの薬剤を投入した際に溶解するまでに１６０秒程度を要する過炭酸ナトリウムであり、特願２００５−０３８９７６号の風呂釜洗浄用具用の風呂釜洗浄剤としては溶解が遅く使用は困難である。また、特許文献３の過炭酸ナトリウムは、漂白剤として開示されているだけである。さらに、特許文献４には、粉末状過炭酸ナトリウムと非イオン界面活性剤との混合物を加熱処理して得られる浮上発泡性過炭酸ナトリウムが記載されている。この組成物は過炭酸ナトリウムが容器の底に沈むことなく溶解する点では特願２００５−０３８９７６号の風呂釜洗浄用具用の過炭酸ナトリウムとして適しているが、界面活性剤による泡の発生量が多すぎるため組成物を用具内に投入した際や洗浄のために風呂釜内に薬液を循環させた際の発泡により用具内の薬液が泡として薬剤投入口から用具外に流出してしまう欠点を有している。
【００２０】
本発明の課題は、有機物の分解作用、微生物の殺菌作用及び膜状物の剥離作用に優れた風呂釜洗浄剤を用いて、安全かつ簡易に、そして効果的に風呂釜内の洗浄を行う風呂釜洗浄方法を提供することにある。また、風呂釜内における炭酸カルシウム等のスケールも同時に除去することができる風呂釜洗浄方法を提供することにある。
【課題を解決するための手段】
【００２１】
本発明者らは、上記課題を解決するために鋭意検討し、従来公知の様々な物質の中から、特願２００５―０３８９７６号等の風呂釜洗浄用具に好適に使用し得る洗浄剤を探索した結果、発泡性過炭酸ナトリウムが、有機物の分解作用、微生物の殺菌作用及び膜状物の剥離作用に優れており、かつ、前述の風呂釜洗浄用具等に好適に使用し得ることを見い出し、これを用いて風呂釜内の洗浄を行うことにより、安全かつ簡易に、さらに、少量の洗浄剤で効果的に風呂釜内を洗浄することができることを見い出し、本発明を完成するに至った。また、風呂釜内に炭酸カルシウム等の無機物のスケールが付着していることをつきとめ、これを酸性物質によって除去することにより、極めて効果的に洗浄することができることを見い出し、本発明を完成するに至った。
【００２２】
すなわち本発明は、[１]少なくとも風呂水出入穴が水没する水位まで風呂水を浴槽内に張った状態で、風呂水出入穴の浴槽内部側の周囲を所定の容積に区画するように風呂釜洗浄用具を浴槽の壁面に当接する洗浄用具設置工程と、風呂釜洗浄用具で区画された風呂水に、発泡性過炭酸ナトリウムを含有する風呂釜洗浄剤Ａを投入して風呂釜を洗浄する洗浄工程Ａと、を含むことを特徴とする風呂釜洗浄方法や、[２]風呂水出入穴の浴槽内部側の周囲を所定の容積に区画するように風呂釜洗浄用具を浴槽の壁面に当接する洗浄用具設置工程と、少なくとも風呂水出入穴が水没する水位まで風呂水を浴槽内に張る水張工程と、風呂釜洗浄用具で区画された風呂水に、発泡性過炭酸ナトリウムを含有する風呂釜洗浄剤Ａを投入して風呂釜を洗浄する洗浄工程Ａと、を含むことを特徴とする風呂釜洗浄方法や、[３]風呂釜洗浄用具で区画された風呂水に、酸性物質を含有する風呂釜洗浄剤Ｂを投入して風呂釜を洗浄する洗浄工程Ｂを含むことを特徴とする上記[１]又は[２]に記載の風呂釜洗浄方法に関する。
【００２３】
また本発明は、[４]洗浄工程Ａの後に洗浄工程Ｂを行うことを特徴とする上記[３]に記載の風呂釜洗浄方法や、[５]洗浄工程Ｂの後に洗浄工程Ａを行うことを特徴とする上記[３]に記載の風呂釜洗浄方法や、[６]洗浄工程Ａが、投入された風呂釜洗浄剤Ａを風呂釜内に強制的に循環させる循環工程Ａを含むことを特徴とする上記[１]〜[５]のいずれかに記載の風呂釜洗浄方法に関する。
【００２４】
さらに本発明は、[７]自然循環式風呂釜の洗浄方法であって、洗浄工程Ａが、投入された風呂釜洗浄剤Ａを風呂釜内に拡散させる拡散工程Ａを含むことを特徴とする上記[１]〜[５]のいずれかに記載の風呂釜洗浄方法や、[８]洗浄工程Ａが、拡散工程Ａの後に行われる風呂釜洗浄剤Ａを風呂釜内に強制的に循環させる循環工程Ａ’を含むことを特徴とする上記[７]に記載の風呂釜洗浄方法や、[９]拡散工程Ａにおける風呂水の温度が、３５〜４５℃であることを特徴とする上記[７]又は[８]に記載の風呂釜洗浄方法に関する。
【００２５】
またさらに本発明は、[１０]洗浄工程Ａが、清浄な水を投入して、風呂釜内の風呂釜洗浄剤Ａを洗い流す水洗工程Ａを含むことを特徴とする上記[１]〜[９]のいずれかに記載の風呂釜洗浄方法や、[１１]洗浄工程Ｂが、投入された風呂釜洗浄剤Ｂを風呂釜内に強制的に循環させる循環工程Ｂを含むことを特徴とする上記[３]〜[１０]のいずれかに記載の風呂釜洗浄方法や、[１２]洗浄工程Ｂが、清浄な水を投入して、風呂釜内の風呂釜洗浄剤Ｂを洗い流す水洗工程Ｂを含むことを特徴とする上記[３]〜[１１]のいずれかに記載の風呂釜洗浄方法に関する。
【発明の効果】
【００２６】
本発明の風呂釜洗浄方法によれば、安全かつ簡易に、そして効果的に風呂釜内の洗浄を行うことができる。本発明の風呂釜洗浄方法は、家庭で使用されるだけでなく、業者が施設に設置された風呂釜を洗浄する際にも使用されるものであり、産業上の利用可能性を有するものである。
【発明を実施するための最良の形態】
【００２７】
本発明の風呂釜洗浄方法としては、少なくとも風呂水出入穴が水没する水位まで風呂水を浴槽内に張った状態で、風呂水出入穴の浴槽内部側の周囲を所定の容積に区画するように風呂釜洗浄用具を浴槽の壁面に当接する洗浄用具設置工程と、風呂釜洗浄用具で区画された風呂水に、発泡性過炭酸ナトリウムを含有する風呂釜洗浄剤Ａを投入して風呂釜を洗浄する洗浄工程Ａとを含む方法（第１洗浄方法）や、風呂水出入穴の浴槽内部側の周囲を所定の容積に区画するように風呂釜洗浄用具を浴槽の壁面に当接する洗浄用具設置工程と、少なくとも風呂水出入穴が水没する水位まで風呂水を浴槽内に張る水張工程と、風呂釜洗浄用具で区画された風呂水に、発泡性過炭酸ナトリウムを含有する風呂釜洗浄剤Ａを投入して風呂釜を洗浄する洗浄工程Ａとを含む方法（第２洗浄方法）であれば特に制限されるものではなく、本発明の風呂釜洗浄方法は、自然循環式風呂釜（２つ穴式風呂釜）及び強制循環式風呂釜（１つ穴式風呂釜）の洗浄に用いることができ、自然循環式風呂釜の洗浄に特に好ましく用いられる。
【００２８】
本発明の風呂釜洗浄方法によれば、風呂釜洗浄用具で風呂水出入穴の浴槽内部側の周囲を所定の容積に区画して、かかる区画された風呂水に風呂釜洗浄剤を投入して洗浄を行うので、少量の風呂釜洗浄剤でも洗浄に有効な濃度を確保でき、安全かつ簡易に、効果的に風呂釜の洗浄を行うことができる。
【００２９】
本発明の第１洗浄方法においては、例えば、入浴後の残り湯を張った状態で、風呂釜洗浄用具を設置することができ（洗浄用具設置工程）、入浴後の残り湯を無駄なく使用することができるので、湯水を節約することができ、非常に経済的である。また、入浴後、数時間以内に風呂釜を洗浄することにより、風呂水が比較的高い温度であることから、風呂釜洗浄剤の溶解、拡散や、湯垢と風呂釜洗浄剤の反応を促し、より高い洗浄効果を期待することができる。
【００３０】
本発明の第２洗浄方法においては、洗浄用具設置工程及び水張工程の順序は特に問わず、いずれを先に行ってもよい。すなわち、少なくとも風呂水出入穴が水没する水位まで風呂水を投入し、風呂水を浴槽内に張った状態で、風呂水出入穴の浴槽内部側の周囲を所定の容積に区画するように風呂釜洗浄用具を浴槽の壁面に当接してもよいし、風呂水出入穴の浴槽内部側の周囲を所定の容積に区画するように風呂釜洗浄用具を浴槽の壁面に当接した後、少なくとも風呂水出入穴が水没する水位まで風呂水を浴槽内に投入してもよい。また、洗浄用具設置工程及び水張工程を同時に行ってもよい。自然循環式風呂釜を洗浄する場合における水張工程においては、２０〜４５℃の温水を張ることが好ましく、３５〜４５℃の温水を張ることがより好ましい。冷水を浴槽に張った場合には、風呂釜洗浄用具を設置後に風呂釜を運転し、風呂釜洗浄用具の区画内と風呂釜内の水の温度を上記水温まで上昇させておくことが好ましい。この際に風呂釜洗浄用具の区画内の水を攪拌しながら運転すると、区画内及び風呂釜内の水を均一に上昇させることができる。
【００３１】
本発明の風呂釜洗浄方法は、さらに、風呂釜洗浄用具で区画された風呂水に、酸性物質を含有する風呂釜洗浄剤Ｂを投入して風呂釜を洗浄する洗浄工程Ｂを含むことが好ましい。これにより、熱効率を低下させる原因となる炭酸カルシウム等のスケールを除去することができる。洗浄工程Ｂを含む場合、洗浄工程Ａの後に洗浄工程Ｂを行ってもよいし、洗浄工程Ｂの後に洗浄工程Ａを行ってもよいが、風呂釜内では炭酸カルシウムを主成分とする硬質のスケールの上層を有機性付着物（湯垢等）が覆っていることが多いため、洗浄工程Ａの後に洗浄工程Ｂを行うことが好ましい。これにより、より効率的にスケールの除去を行うことが可能となる。なお、洗浄工程Ａ及び洗浄工程Ｂは、それぞれ複数回行ってもよい。
【００３２】
本発明の洗浄工程Ａとしては、風呂釜洗浄用具で区画された風呂水に、発泡性過炭酸ナトリウムを含有する風呂釜洗浄剤Ａを投入して風呂釜を洗浄する工程であれば特に制限されるものではなく、例えば、投入された風呂釜洗浄剤Ａを風呂釜内に強制的に循環させる循環工程Ａを含むものを挙げることができる。
【００３３】
循環工程Ａにおける強制的な循環は、例えば、風呂釜を運転させることにより行うことができる。すなわち、自然循環式風呂釜の場合には、加熱された風呂水が上昇して対流が起こり、下穴から風呂釜に低温水が流入し、加熱された高温水が上穴から浴槽に流出することにより循環が行われる。また、手動又は自動のポンプにより、風呂釜洗浄用具の区画内の風呂釜洗浄剤を下穴又は上穴に強制的に流入させ、風呂釜内に循環させることもできる。強制循環式風呂釜の場合には、風呂釜に設けられたポンプにより強制的に循環が行われる。この強制的な循環は、０．５〜５分程度行うことが好ましく、１〜５分程度行うことがより好ましく、２〜５分程度行うことがさらに好ましい。自然循環式風呂釜の場合は、連続運転を行うと風呂釜洗浄用具の区画内の水温が上昇するため、０．５〜１分程度の強制循環と２〜１０分程度の放置を交互に１〜３回繰り返すことがより好ましく、これにより、より効果的に洗浄を行うことができる。
【００３４】
また、特に自然循環式風呂釜の洗浄を行う場合には、洗浄工程Ａは、投入された風呂釜洗浄剤Ａを風呂釜内に拡散させる拡散工程Ａを含むものであってもよい。すなわち、自然循環式風呂釜は風呂釜内管が太く短いので、洗浄剤の拡散によって洗浄剤を風呂釜内管全体に行き渡らせることが可能となり、投入された風呂釜洗浄剤Ａを風呂釜内に強制的に循環させる上記循環工程Ａを行うことは必ずしも必要ない。発泡性過炭酸ナトリウムを含有する風呂釜洗浄剤Ａは、拡散性に優れており、強制的に循環しなくても、風呂釜内管全体に洗浄剤を行き渡らせることができる。このとき、風呂釜洗浄剤Ａは、より拡散性を向上させるために、顆粒状であることが好ましい。
【００３５】
拡散工程Ａにおける拡散とは、洗浄剤を投入した後、０．５分以上放置することをいい、１〜３０分程度放置することが好ましく、５〜３０分程度放置することがより好ましい。この間、必要に応じて区画内の風呂水を攪拌してもよい。なお、上記強制的な循環を行った後の放置は、ここでいう拡散に含まれない。この拡散工程Ａにおける風呂水の温度としては、洗浄剤の拡散作用や残り湯の使用を考慮すると、５〜４５℃であることが好ましく、２０〜４５℃であることがより好ましく、３５〜４５℃であることがさらに好ましい。これにより、風呂水が非常に高温になることを防止して、より安全に作業を行うことができる。
【００３６】
また、この拡散工程Ａの後に、循環工程Ａを行うこともでき、より効果的に洗浄を行うことができる。この場合、拡散時間及び循環時間は、それぞれ単独で行う場合に比して短時間でよく、拡散工程Ａにおける拡散時間は、例えば、０．５〜３分程度であり、１〜３分程度であることが好ましく、循環工程Ａにおける循環時間は、例えば、０．５〜２分程度であり、１〜２分程度であることが好ましい。
【００３７】
さらに、洗浄工程Ａが、清浄な水を投入して、風呂釜内の風呂釜洗浄剤Ａを洗い流す水洗工程Ａを含むことが好ましい。かかる水洗工程Ａにおける水洗は、ホースやバケツ等を用いて、清浄な水を投入しつつ、風呂釜を運転して行うことができる。
【００３８】
洗浄工程Ｂとしては、風呂釜洗浄用具で区画された風呂水に、酸性物質を含有する風呂釜洗浄剤Ｂを投入して風呂釜を洗浄する工程であれば特に制限されるものではなく、場合によっては、風呂釜洗浄剤Ａと同様、投入された風呂釜洗浄剤Ｂを拡散させることも可能であるが、投入された風呂釜洗浄剤Ｂを風呂釜内に強制的に循環させる循環工程Ｂを含むことが好ましい。循環工程Ｂにおける強制的な循環は、風呂釜を運転させることにより行うことができ、その詳細は循環工程Ａと同様である。また、洗浄工程Ｂが、清浄な水を投入して、風呂釜内の風呂釜洗浄剤Ａを洗い流す水洗工程Ｂを含むことが好ましく、その詳細は、水洗工程Ａと同様である。
【００３９】
以下、本発明の風呂釜洗浄方法に用いられる洗浄剤について説明する。本発明の風呂釜洗浄方法に用いられる風呂釜洗浄剤Ａは、発泡性過炭酸ナトリウムを含有している。発泡性過炭酸ナトリウムとは、水に投入した際にガスを発生しながら溶解する過炭酸ナトリウムであり、各種公知の方法で製造可能であるが、過炭酸ナトリウムの顆粒を８０℃〜1４０℃で加熱して得られる水と接触した際に酸素ガスを発生しながら顆粒が崩壊する発泡性過炭酸ナトリウムが好ましく使用される。過炭酸ナトリウムは、Ｎａ２ＣＯ３・３／２Ｈ２Ｏ２で表される、炭酸ナトリウムの過酸化水素付加体である。
【００４０】
風呂釜洗浄剤Ａを風呂釜洗浄用具内の風呂水に投入すると、風呂釜洗浄剤Ａに含まれる発泡性過炭酸ナトリウムが風呂水に接触して酸素の気泡を発生し、その気泡が風呂釜洗浄剤Ａに付着してその沈降を抑制し、風呂釜洗浄剤Ａが風呂釜洗浄用具内の風呂水に均一に接触するのを促進するとともに、気泡の発生により風呂釜洗浄剤Ａの顆粒等を崩壊、分散させることによって、高濃度の過炭酸ナトリウムの溶解を実現する。風呂釜洗浄剤Ａは、発泡性過炭酸ナトリウムの発泡と崩壊により風呂釜洗浄用具の区画内で均一、高濃度に溶解すると共に、風呂釜内部に有効成分が拡散する。特に、自然循環式風呂釜においては、強制循環を行わなくても風呂釜内部に洗浄剤成分をほぼ均一に拡散させることが可能となる。風呂釜洗浄剤Ａが自然循環式風呂釜内部に均一に拡散する原因としては、流入、流出穴に接する狭い風呂釜洗浄用具の区画内で起こる激しい発泡により生じる上昇水流によって洗浄剤成分が風呂釜内への循環流入すること等が考えられる。このように、風呂釜洗浄剤Ａは、本発明の風呂釜洗浄方法において極めて有効であり、有機物の分解、微生物の殺菌、膜状物の剥離を行って、風呂釜内を効果的に洗浄することができる。
【００４１】
風呂釜洗浄剤Ａに含まれる発泡性過炭酸ナトリウムの量については、特に制限はないが、全量に対して６０〜９０重量％（過炭酸ナトリウム理論組成物としての含有濃度）、好ましくは７０〜８５重量％（前述）とすることができる。
【００４２】
発泡性過炭酸ナトリウムは、水に投入するとＮａ２ＣＯ３とＨ２Ｏ２に分離し、Ｎａ２ＣＯ３は水溶液中でアルカリの作用を発揮し、Ｈ２Ｏ２は水溶液中で酸化作用及び殺菌作用を発揮する。
【００４３】
風呂釜洗浄剤Ａは、起泡剤を含んでいることが好ましい。起泡剤が含まれていると、発泡性過炭酸ナトリウムが風呂水に接触した際に発生する酸素の気泡により、効果的に風呂釜洗浄剤の顆粒等の崩壊、分散が行われ、高濃度の過炭酸ナトリウムが狭い容器内であっても容易に溶解する。また、起泡剤は風呂釜内の膜状物の剥離にも有利に作用する。
【００４４】
起泡剤としては、水溶性高分子、界面活性剤等、本発明の第一の風呂釜洗浄剤の効果を妨げずに起泡するものである限り特に制限はないが、中でも界面活性剤が好ましく、湯垢の除去効果が特に優れていることから、陰イオン系界面活性剤が特に好ましい。本発明の風呂釜洗浄剤は比較的少量の水で使用するため、起泡性の高い界面活性剤を多く用いると、多く発泡しすぎて泡とともに本発明の第一の風呂釜洗浄剤が風呂釜洗浄用具の外に流出してしまうため、例えば、ＨＬＢが高いエチレンオキサイド・プロピレンオキサイドブロックポリマー、ソルビタンモノオレート、ジオクチルスルフォコハク酸ナトリウム、ナフタレンスルフォン酸縮合物等の低起泡性界面活性剤が好ましく用いられ、また添加する起泡剤の量は多すぎないことが好ましい。起泡剤の添加量は特に制限されないが、起泡力の高い界面活性剤の場合は、例えば、過炭酸ナトリウム１００重量部に対して０．００１〜０．０１重量部とすることが好ましい。またポリエチレングリコール等の水溶性高分子類も好ましく使用される。
【００４５】
また、風呂釜洗浄剤Ａは、消泡剤を含んでいてもよい。消泡剤を添加すれば、低起泡性ではない界面活性剤を起泡剤として用いる場合であっても、風呂釜洗浄用具の外に流出する風呂釜洗浄剤を低減することができる。消泡剤としては、特に制限はないが、例えば、シリコン系消泡剤、等が挙げられる。
【００４６】
起泡剤及び消泡剤の添加量は、風呂釜洗浄剤Ａに含まれる発泡性過炭酸ナトリウムの含有量、発泡性過炭酸ナトリウムの発泡力、風呂釜洗浄用具の体積、起泡剤の起泡力や消泡剤の消泡力により左右されるので一概に言えないが、使用する発泡性過炭酸ナトリウムや風呂釜洗浄用具等に合わせて、起泡剤の種類及び量並びに消泡剤の種類及び量を適宜調節するなどして、本発明の風呂釜洗浄剤の溶解性を向上しつつ、かつ風呂釜洗浄剤が風呂釜洗浄用具からあまり流出しないように調節することができる。
【００４７】
風呂釜洗浄剤Ａは、２０〜２５℃の水（ｐＨ６〜８）３００ｍｌが入った内径４５ｍｍ〜６５ｍｍの範囲内である円筒状の５００ｍｌ用のガラス製のメスシリンダーに、１気圧の条件下で、２０ｇ添加して静置した場合に、添加してから１分以内にメスシリンダー内の液面より上に形成される泡の体積の最大値が１０ｍｌ〜１００ｍｌであることが好ましく、２０ｍｌ〜６０ｍｌであることがより好ましい。さらにかつ、メスシリンダー内の液面より上に形成されている泡の体積が、添加後５分以内に１０ｍｌ以下になることが好ましく、５ｍｌ以下になることがより好ましい。
【００４８】
また、風呂釜洗浄剤Ａは、風呂釜の接液部の過炭酸ナトリウム水溶液による腐食を防止するため、銅とアルミニウムの腐食防止に有効な腐食防止剤を含んでいることが好ましい。特にアルミニウムに対する過炭酸ナトリウム水溶液の腐食量は大きいため各種公知の対アルカリ性向けのアルミニウム用腐食防止剤が好ましく使用され、さらに好ましくは過炭酸ナトリウムに配合した際に安定でありかつアルミニウムと銅への腐食防止効果が強いケイ酸ナトリウムが好ましく使用される。ケイ酸ナトリウムとしては酸化ナトリウムと二酸化ケイ素の配合比の異なる多数の組成物が知られているが本発明の腐食防止剤としては酸化ナトリウムに対する二酸化ケイ素のモル比が１〜４のものが好ましく、特に好ましくは２〜３．５の無水物が使用される。
【００４９】
ケイ酸ナトリウムは水に易溶性であるが、本発明の特願２００５―０３８９７６号に記載の風呂釜洗浄用具用の風呂釜洗浄剤として使用する場合は粒子径が２００μｍ以下のものを使用することが好ましく、１００μｍ以下の粒子径のものが特に好ましく使用される。ケイ酸ナトリウムは過炭酸ナトリウムに対し１〜１５重量％の割合で添加され、特に好ましくは３〜１０重量％の割合で添加される。ケイ酸ナトリウムは過炭酸ナトリウムの顆粒に粉末状で添加することも可能であり、過炭酸ナトリウムを造粒する前に添加混合し、過炭酸ナトリウムの顆粒中に配合することも可能である。
【００５０】
風呂釜洗浄剤Ａには、風呂釜内の金属元素による過炭酸ナトリウムの分解を抑制し、過炭酸ナトリウムによる有機物汚れをより効率的に行うため、キレート剤を含んでいることが好ましい。本発明に使用されるキレート剤としては各種公知のキレート剤が使用可能であり、例えばグリセリン酸、テトロン酸、ペントン酸、ヘキソン酸、ヘプトン酸等のアルドン酸類のアルカリ金属塩もしくは低級アミン塩、ニトリロ三酢酸、エチレンジアミン四酢酸、ヒドロキシルイミノ二酢酸、ジヒドロキシエチルグリシン、エチレンジアミン二酢酸、ジエチレントリアミン五酢酸、トリエチレンテトラミン六酢酸、テトラエチレンテトラミン六酢酸等のアミノカルボン酸類のアルカリ金属塩もしくは低級アミン塩、酒石酸、クエン酸、リンゴ酸、グルタミン酸等のオキシカルボン酸類のアルカリ金属塩もしくは低級アミン塩、アミノトリメチレンホスホン酸、ヒドロキシエチリデンジホスホン酸、エチレンジアミンテトラメチレンホスホン酸、ジエチレントリアミンペンタメチレンホスホン酸等のホスホン酸類のアルカリ金属塩もしくは低級アミン塩や、エタノールアミン、ジエタノールアミン、トリエタノールアミン等のアルカノールアミン塩、好ましくは、グルコン酸、グルコヘプトン酸、エチレンジアミン四酢酸、酒石酸、クエン酸、ヒドロキシエチリデンジホスホン酸のアルカリ金属塩もしくは低級アミン塩、特に好ましくは、エチレンジアミン四酢酸ナトリウム、酒石酸ナトリウムが挙げられる。キレート剤は粒子径５００μｍ以下のものが好ましく使用され特に好ましくは２００μｍ以下のものが使用される。
【００５１】
風呂釜洗浄剤Ａは、酵素を含んでいることが好ましい。これにより、湯垢等の有機物系の汚れの除去効果が大幅に向上する。酵素としては、湯垢等の有機物系の汚れの除去効果が優れていることから、プロテアーゼ、αアミラーゼが好ましく挙げられる。また、湯垢等の有機物系の汚れに対してより優れた除去効果を発揮することから、プロテアーゼとαアミラーゼとを併用することが特に好ましい。
【００５２】
プロテアーゼの添加量は特に制限されないが、湯垢等の有機物系の汚れに対してより優れた除去効果を発揮することから、過炭酸ナトリウムに対し０．０３重量％以上とすることが好ましく、０．２重量％以上とすることがより好ましく、０．２〜０．３重量％とすることがさらに好ましい。なお、０．３重量％以上添加してもよいが、それ以上添加しても効果はあまり上がらない。
【００５３】
αアミラーゼの添加量は特に制限されないが、湯垢等の有機物系の汚れに対してより優れた除去効果を発揮することから、過炭酸ナトリウムに対し０．１重量％以上とすることが好ましく、０．３重量％以上とすることがより好ましく、０．５〜２重量％とすることがさらに好ましい。
【００５４】
風呂釜洗浄剤Ａは、過酸化水素を認知するための成分を含んでいることが好ましい。過酸化水素を指標とすることによって、洗浄した部分に、湯垢等の有機物系の汚れが残存しているかどうかを簡便に認知することができるからである。過炭酸水素ナトリウムは水に溶解して炭酸ナトリウムと過酸化水素に分離し、炭酸ナトリウムと過酸化水素がそれぞれ風呂釜内の有機系の汚れ（有機性付着物）と反応し、炭酸ナトリウムが発揮するアルカリ作用及び／又は過酸化水素が発揮する酸化作用によって、風呂釜内の有機性付着物が分解除去される。過酸化水素は、有機性付着物と反応すると、自身は還元されて酸素や水等に変化するため、風呂釜内に過剰量の有機性付着物が存在すると、過酸化水素がすべて用い尽くされ、風呂釜内に有機性付着物が残存した状態のまま洗浄が終了することになる。逆にいえば、風呂釜内の有機性付着物がすべて分解され、風呂釜が十分に洗浄された場合は、洗浄終了後の洗浄液（風呂釜内を循環していた風呂釜洗浄剤の溶解液）中に過酸化水素が残存していることになるため、この残存した過酸化水素を検知すれば、風呂釜内の洗浄が十分なされたことを確認することができる。
【００５５】
本発明における過酸化水素を認知するための成分は、特に制限されないが、過酸化水素濃度によって色調が変わる酸化還元指示薬を例示することができる。該酸化還元指示薬としては具体的に、ヨウ化カリウム等のヨウ素イオン含有化合物などが挙げられる。ファイバースコープを用いれば、風呂釜内の有機性付着物が除去されたことを直接視認することができ、また酸化還元電位計を用いれば、洗浄終了後の洗浄液の酸化還元電位の数値を測定することによって、過酸化水素濃度を推測することができるが、ファイバースコープや酸化還元電位計等の器具は一般家庭には通常存在していないところ、上述の酸化還元指示薬を用いれば、それらの器具がなくても洗浄終了後の洗浄液中の過酸化水素の存否を、該洗浄液の色を視覚で確認することによって容易に認知することができ、第一の風呂釜洗浄剤を用いてさらに洗浄する必要があるかどうかを的確に判断することができる。たとえば、洗浄終了後の洗浄液中に過酸化水素がなかった場合は、風呂釜洗浄剤を洗浄液中に追加したり、再洗浄したりすることが容易にできるため、風呂釜洗浄剤を必要以上に大量に使用してしまうことなく、風呂釜の洗浄を効果的に行うことができる。また、過酸化水素を認知するための成分を用いなくても、例えば過酸化水素の濃度によって色調が変わる試験紙を洗浄終了後の洗浄液に浸すことによって、同様の目的を達成することができる。また、本発明の風呂釜洗浄用具の壁面の全部又は一部を透明にし、過酸化水素の濃度によって色調や表示が可変的に変わる耐水性の検知体を風呂釜洗浄用具の内部に設置した場合は、風呂釜洗浄用具中の洗浄液の過酸化水素濃度を容易に認知することができる。
【００５６】
風呂釜洗浄剤Ａは、風呂釜洗浄剤の効果を妨げない限り、起泡剤、消泡剤、腐食防止剤及びキレート剤の他の任意成分をさらに含んでいてもよい。そのような任意成分として、例えば、過炭酸ナトリウムの安定化剤、過炭酸ナトリウムの活性化剤、着色剤等が挙げられる。なお、発泡性過炭酸ナトリウム及び起泡剤を除く腐食防止剤等の添加剤は、便宜上、「含む」と表現しているが、別途、区画内に添加する態様も含まれる。なお、起泡剤は、発泡性過炭酸ナトリウムが水に投入された際に発生した気泡を過炭酸ナトリウム粒子に付着させ、顆粒の沈降を防ぐ目的で添加されるため、発泡性過炭酸ナトリウムと共存している必要があり、混合又は顆粒に含浸した状態にあることが好ましい。
【００５７】
また、本発明の風呂釜洗浄方法に用いられる風呂釜洗浄剤Ｂは、酸性物質を含有している。風呂釜を使用していると、水道水等に含まれる炭酸カルシウム等の無機物が風呂釜内に付着して、風呂釜の熱効率を低下させる原因となる。風呂釜洗浄剤Ｂを用いて風呂釜を洗浄すると、風呂釜内に付着した、炭酸カルシウムを主成分とする硬質のスケールを除去することができる。風呂釜洗浄剤Ｂは発泡性を有していないが、除去目的物が炭酸カルシウムを主成分とする無機物であるため、低濃度の溶解液が風呂釜内に達すると炭酸カルシウムとの反応により発泡するため、風呂釜内と洗浄用具の区画内で循環が起こり、強制循環を行わなくても風呂釜内の洗浄を行うことができる。
【００５８】
酸性物質としては、炭酸カルシウムと反応してそれを溶解し得るものである限り特に制限されないが、銅製の風呂釜への悪影響がより小さいことから、有機カルボン酸が好ましく、水への溶解性及びカルシウム塩の溶解力が優れていることから、リンゴ酸、コハク酸、乳酸等が特に好ましい。なお、酸性物質は、１種単独で用いてもよいし、２種以上を併用してもよい。
【００５９】
風呂釜洗浄剤Ｂに含まれる酸性物質の量は特に制限されないが、全量に対して６０重量％以上、好ましくは８０重量％以上とすることができる。
【００６０】
風呂釜洗浄剤Ｂは、酸性物質の他に、酸性物質による風呂釜の腐食を低減するために、腐食防止剤をさらに含んでいることが好ましい。風呂釜洗浄剤Ｂにおける腐食防止剤は、特に制限されないが、銅及び／又はアルミ用の腐食防止剤であることが好ましく、アゾール系の腐食防止剤であることがより好ましく、１，２，３−ベンゾトリアゾール、トリルトリアゾール等がさらに好ましい。
【００６１】
風呂釜洗浄剤Ｂに用いうる腐食防止剤の量は特に制限されないが、全量に対して０．０５〜５重量％、好ましくは０．２〜２重量％とすることができる。
【００６２】
風呂釜洗浄剤Ａ及び風呂釜洗浄剤Ｂの剤型は特に制限はなく、通常の製剤の製造方法に従って、例えば粉剤、顆粒剤、等の形態をとることができるが、取り扱いの安全性及び容易性の観点から、粉剤または顆粒剤とするのが好ましい。
【００６３】
続いて、本発明の風呂釜洗浄方法に用いられる風呂釜洗浄用具について説明する。風呂釜洗浄用具は、風呂釜に連通し浴槽の壁面に開口された風呂水出入穴の浴槽内部側の周囲を所定の容積に区画しうる本体部と、本体の一部に設けられた洗浄剤投入口とを有しているものを用いることができ、具体的に、例えば、特願２００５―０３８９７６号に記載のものを用いることができる。ここで、所定の容積としては、０．５〜２０Ｌであることが好ましく、１〜１０Ｌであることがより好ましく、１．５〜３Ｌであることがさらに好ましい。
【００６４】
以下、図面を用いて、本発明の第１の風呂釜洗浄方法について説明する。図１に示すように、本発明における風呂釜洗浄用具１（以下、単に洗浄用具という）は、浴槽ＢＴ（バスタブ）の壁面に取り付けられる。本実施の形態では、浴槽ＢＴには、外部の図示しない風呂釜に連通し浴槽の壁面に開口された風呂水出入穴部Ｃが設けられており、洗浄用具１を浴槽ＢＴの壁面に取り付ける際には、この風呂水出入穴部Ｃの浴槽内部側の周囲を所定の容積に区画するように取り付ける。
【００６５】
なお、洗浄用具１を取り付ける際には、浴槽ＢＴ内には湯水が張られており、その水面Ｗは風呂水出入穴部Ｃの上方に位置する状態、すなわち吸吐部が完全に水没する状態になっている。そして、その様態で洗浄用具１を浴槽ＢＴの壁面に取り付けると、洗浄用具１内に湯水が入り込み、洗浄用具１の内外の水面Ｗの高さは互いに同じ高さになる。
【００６６】
洗浄用具１の上面は開口しており（洗浄剤投入口）、その開口部分から洗浄用具１内に風呂釜洗浄剤を投入することができる。なお、洗浄剤投入口は、洗浄剤を投入できる限り、その位置、形状、個数等に制限はない。洗浄剤は粉剤、顆粒剤、粒剤、等など、いずれの剤型ものでもよいが、本実施の形態では、図２に示すように顆粒状の物を用いた。このように洗浄用具１内に洗浄剤Ｔを投入すると、洗浄剤Ｔは気泡を出しながらゆっくり沈降、溶解してゆく。
【００６７】
その状態で風呂釜を作動させると、図示しないポンプが作動して洗浄用具１内の洗浄剤Ｔの溶解液を風呂水出入穴部Ｃから風呂釜へと吸引する。風呂釜まで洗浄剤が到達すると、洗浄剤の溶解液が加熱されることにより洗浄剤が活性化し、過炭酸ナトリウムが溶解して生成した過酸化水素の酸化作用と炭酸ナトリウムのアルカリ作用により、湯垢等の有機物系の汚れを分解除去するとともに、過酸化水素の分解により発生する酸素ガスの作用により湯垢を剥離除去する。
【００６８】
そして、風呂釜を通過した洗浄剤の溶解液は、風呂水出入穴部Ｃから洗浄用具１内に吐出される。このように吐出された洗浄剤の溶解液は、高濃度の洗浄剤を含んでおり、洗浄用具１によって浴槽ＢＴ内と隔絶され、ふたたび風呂水出入穴部Ｃから風呂釜へと吸引される。
【００６９】
ところで、洗浄用具１の本体部は、図３に示すように枠状の基体部２と、この基体部２に対して着脱自在に取り付けられる隔壁部３とから構成されている。基体部２は可撓性を有する樹脂で一体に成形されており、浴槽ＢＴの平面に取り付けるための吸盤２１が４個所に形成されている。また、基体部２の左右側辺および底辺には、外方に若干湾曲したスカート部に相当するシール部２２が同じく基体部２に一体に形成されている。このシール部２２の機能は後述するが、このシール部２２が流出構造を構成する。
【００７０】
基体部２の左右および底部には内側に保持部２３が形成されており、かつ、この保持部２３の外側には、図４に示すように保持溝２４が形成されている。そして、この保持溝２４に隔壁部３が差し込まれることによって、隔壁部３が基体部２に取り付けられるように構成されている。
【００７１】
なお、保持部２３の外周面側には係合突起２５が形成されており、隔壁部３を保持溝２４に差し込むと、隔壁部３に形成した係合窓３１にこの係合突起２５が係合して、隔壁部３が基体部２から不用意に脱落しないようにした。保持部２３は上述のように可撓性を有する樹脂で成形されているので、基体部２から隔壁部３を取り外すことは容易に行える。
【００７２】
一方、隔壁部３は、図５に示すように、基体部２から取り外した状態では折り畳むことができ、洗浄作業終了後に隔壁部３を基体部２から取り外し、図５に示すように折り畳めば収納スペースを小さくすることができる。なお、本実施の形態では、左右側面３２を内側にたたみ、底面３３を山形に折り曲げることにより隔壁部３を折り畳むようにした。
【００７３】
ところで、上述のシール部２２は、図６に示すように、基体部２を浴槽ＢＴの壁面に取り付けると、先端を外側にして撓むことになる。そのため自らの弾性力によって浴槽ＢＴの壁面に当接することになる。そのような状態になると、浴槽ＢＴの内部の湯水が洗浄用具１の内部に流出しようとしてもシール部２２に阻まれて流入することができない。また、浴槽ＢＴ内の水面Ｗの高さと洗浄用具１内の水位とは同じ高さになるので、洗浄用具１の内部から浴槽ＢＴに向かう流れが生じず、そのため洗浄用具１内の洗浄剤の溶解液が浴槽Ｂへ漏出することがシール部２２によって防止される。
【００７４】
なお、本実施の形態では基体部２を浴槽ＢＴの壁面に取り付けるために吸盤２１を用いた。吸盤２１は内部を真空にすることによって外部からの圧力で吸着するものである。したがって、本実施に形態のように吸盤２１を水中で使用すると水圧が吸着力として作用し、空気中で使用する場合に比べて強力な吸着力を発揮させることができる。そのため、洗浄作業中に洗浄用具１を手などで保持しなくても、浴槽ＢＴの壁面に強力に固定される。
【００７５】
さて、上述のように所定時間継続してポンプおよび風呂釜を作動させて十分に風呂釜の洗浄が終了すると、ポンプおよび風呂釜を作動させたままの状態で、洗浄用具１内に上方の開口部分から清浄な水を注入することが好ましい。すると、洗浄用具１内の水位が周囲の水面Ｗよりも上昇する。そのため、洗浄用具１内の圧力が周りの圧力よりも高くなり、洗浄用具１内の洗浄液が、上記シール部２２と浴槽ＢＴの壁面との間を通って浴槽ＢＴ側へと漏出する。また洗浄用具の底部にホース等で清浄な水を注入すると水の注入量が多くても上方の開口部から用具内の洗浄液がオーバーフローにより用具外に排出されるため、短時間で用具内の洗浄液の清浄への置換が可能となる。
【００７６】
洗浄用具１内に清浄な水を注入すれば、洗浄用具１内の湯温が低下するので、風呂釜はそのまま作動し続ける。そして、洗浄用具１内の洗浄剤の溶解液が清浄な水に置換されるので、風呂釜には清浄な湯水が循環されすすがれることにより、洗浄液が風呂釜内に残らない。これで風呂釜の洗浄工程が終了し、その後、浴槽の排水口の栓を外して浴槽ＢＴ内の湯水を排水し、最後に洗浄用具１を浴槽ＢＴの壁面から取り外す。
【００７７】
上記実施の形態では、吸水口と吐出口とが一体になった１つ穴式の物で説明したが、本発明を２つ穴式の物に適用しても何ら問題はない。ただし、２つ穴式の物では、風呂釜に湯水をポンプで強制的に循環させるのではなく、自然対流によって循環させている。
【００７８】
また、特に、風呂水が高温になると循環が不十分になる可能性のある自然循環式風呂釜においては、図７に示すように、隔壁部３の一部に置換手段として機能する置換窓３４を設けてもよい。この置換窓３４は水面Ｗを上下に跨ぐように形成しており、吸水口ＯＬから吸引され吐出口ＩＬから吐出された高温の湯水の一部が、この置換窓３４を通って浴槽ＢＴ側へ流出する。すると、その高温水の流出に伴って、浴槽ＢＴ内の低温の湯水が置換窓３４を通って洗浄用具１内に流入し、洗浄用具１内の湯温を低下させ、洗浄用具１内の温度格差を小さくする。そして、上述の場合と同じく、洗浄完了後に上方から清浄な水を注入して風呂釜内の洗浄液を排出させることが好ましい。
【００７９】
ところで、上記の実施の形態では、基体部２を浴槽ＢＴの壁面に取り付けるために、４個の円形の吸盤２１を用いたが、さらに吸着力を高めると共に、基部２の浴槽ＢＴからの浮き上がりを防止するため、図８に示すように、円形ではなく長尺吸盤２６を基部２に一体に形成してもよい。この長尺吸盤２６は長手方向が基体部２の枠に沿うように形成されており、本実施の形態では、合計３個の長尺吸盤２６を形成した。なお、基体部２についても上方に開放されたコ字状に形成してもよい。
【００８０】
このように構成することにより、基体部２の全体が浴槽ＢＴに吸着するので、浴槽ＢＴからの基体部２の浮き上がりが防止される。なお、各長尺吸盤２６の相互間にはシール部２２を形成した。このシール部２２は長尺吸盤２６に連続して形成されているので、浴槽ＢＴに吸着した状態で基体部２を浴槽ＢＴから外す際に、シール部２２を持ち上げれば、長尺吸盤２６を浴槽ＢＴから容易に外すことができる。
【００８１】
また、図５を用いて隔壁部３の折り畳みの形態を説明したが、図９に示すように、基体部２に隔壁部３を取り付けたままの状態で隔壁部３を折り畳みようにしてもよい。図９に示した形態では、底面３３を内側にたたみ、左右側面３２を同じく内側に山形に折り込むことによって、隔壁部３の体積を小型化するようにした。
【００８２】
なお、本発明は上記した形態に限定されるものではなく、本発明の要旨を逸脱しない範囲内において種々の変更を加えてもかまわない。例えば、上記実施に形態では本体部である基体部２と隔壁部３とを別個に形成したが、本体部を一体に形成してもよい。
【００８３】
以下、実施例により本発明をより具体的に説明するが、本発明の技術的範囲はこれらの例示に限定されるものではない。
【実施例】
【００８４】
（１）発泡性過炭酸ナトリウムの調製
粒径１５０〜１０００ミクロンの過炭酸ナトリウムの顆粒２５ｋｇを、加熱用ジャケットを具備した直径３２０ｍｍ、長さ１６００ｍｍの横円筒形加熱機に入れて、１０回／分で回転させながら１２０℃で３０分間加熱処理を行った。この処理の間、室温の空気１００ｍ３／ｈを横円筒加熱機の一端から吹き込み他端から排出した。
【００８５】
（２）起泡剤の添加
上述の（１）で得られた発泡性過炭酸ナトリウムを１００ｇずつ計量し、そのうちのひとつを実施例組成物１とした。残りの発泡性過炭酸ナトリウムのそれぞれに、後述の表１に記載されたように起泡剤、添加剤を所定量添加し、ポリ袋内でそれぞれを等一に混合して実施例組成物２〜７とした。また、比較例として、発泡性でない通常の過炭酸ナトリウム１００ｇを比較例組成物１とし、市販の風呂釜洗浄剤（通常の過炭酸ナトリウム、炭酸ナトリウム及び界面活性剤の混合物）１００ｇを比較例組成物２とした。
【００８６】
（３）溶解試験
幅１３０ｍｍ×厚さ９０ｍｍ×高さ３００ｍｍの角型の透明容器を７つ用意し、２０〜２２℃の水２０００ｍｌをそれぞれに充填した。上述の（２）で調製した実施例組成物１〜５及び比較例組成物１〜２のそれぞれを２〜３秒間でそれぞれの容器内に投入した。投入から２分経過後に容器底に沈降した水に不溶の顆粒の量を目視で判断するとともに、容器の底から２０〜３０ｍｍ、８０〜９０ｍｍ（ほぼ中間位置）、１４０〜１５０ｍｍ（液面下２０〜３０ｍｍ、容器液面高さ１７０ｍｍ）の３箇所から溶液を静かに採取し有効酸素濃度を分析した。過炭酸ナトリウムが溶解すると過酸化水素から酸素が発生し、それが容器中の水溶液に溶けて水溶液中の有効酸素濃度が上昇するため、水溶液中の有効酸素濃度の数値を検出することによって、過炭酸水素ナトリウムの溶解の程度を調べることができる。
【００８７】
（４）試験結果
組成物の組成と溶解試験結果を表１に示す。
【００８８】
【表１】
2008039368.tif 000003
【００８９】
ＰＥＧ    ：ＰＥＧ３００    
ノニオンＡ：低起泡性のエチレンオキサイド・プロピレンオキサイドブロック
ポリマー
アニオンＢ：ドデシルベンゼンスルフォン酸Ｎａ
アニオンＣ：スルフォコハク酸ジオクチルＮａ
ノニオンＤ：ソルビタンモノオレート
消泡剤    ：シリコン系消泡剤
腐食防止剤：無水ケイ酸ソーダ微粉末
（粒子径１５０μｍ以下、ＳｉＯ２／Ｎａ２Ｏモル比：３）
【００９０】
表１の結果から分かるように、通常の過炭酸ナトリウム（比較例組成物１）は多量の過炭酸ナトリウムが容器の底に沈み、溶けた過炭酸ナトリウムも下部に集中しているのに対し、本発明に用いる発泡性過炭酸ナトリウム（実施例組成物１）は少量しか容器の底に沈まず、また溶液全体にほぼ同様に溶解している。なお、市販風呂釜洗浄剤（比較例組成物２）は、溶液のほぼ全体に同様に溶けてはいる。これは洗浄剤の粒子がかなり細かい上、界面活性剤が多く含まれているためであると考えられるが、実施例組成物１〜７と比較して、溶解している過炭酸ナトリウムはかなり少ない。また、起泡剤を加えた実施例組成物２〜７は、発泡性過炭酸ナトリウムのみの実施例組成物１に比べて、容器底部の残存量は少なく、より多くの過炭酸ナトリウムが容器全体に溶解していることが分かる。このように発泡性過炭酸ナトリウムを含む風呂釜洗浄剤は溶解性が高く分散性もよいので、容器の底部等に残存する量が減少し、効率良く使用することができる。その結果、発泡性過炭酸ナトリウムを含む風呂釜洗浄剤は、本発明の風呂釜洗浄方法において使用した場合に、有機物の分解作用、微生物の殺菌作用及び膜状物の剥離作用を十分に発揮することができる。
【００９１】
（５）湯垢除去試験に用いる製剤の調製
上記（１）で作製した発泡性過炭酸ナトリウムの顆粒１００ｇに、表２、表３記載の酵素と界面活性剤を添加して、実施例８〜１８及び比較例３の製剤を調製した。
【００９２】
（６）モデル湯垢の調製
３００ｍｌ三角フラスコに一般細菌用液体培地２００ｍｌをとり、オートクレーブで滅菌した。２つ穴式風呂釜から採取した湯垢をホモジナイザーで微粉砕した菌液１ｍｌをこの培地に添加し、３０℃で１０日間振騰培養した。この培養液０．２ｍｌをスライドガラスの下半分の面に均一に塗布し、室温で２時間放置し乾燥させた。乾燥した塗布面に、再度、培養液０．２ｍｌを塗布、乾燥する作業を繰り返し実施し、合計８回培養液を塗布、乾燥したスライドガラスを２日間室温で放置し完全に乾燥させた。このスライドガラスの塗布面全体を１００ｍｌの水に1時間浸漬させ、塗布面の水溶性成分を溶出させた。水を交換して、同様の浸漬を３回行った後、スライドガラスを室温で放置して乾燥させた。スライドガラスの表面に付着している茶褐色の付着物を採取し、ＩＲ分析を行った。その結果、この付着物のＩＲスペクトルは、上述の培地に添加した湯垢のＩＲスペクトルと一致することが確認された。
【００９３】
（７）湯垢除去試験
２００ｍｌのビーカーに水１００ｍｌをとり、このビーカーを５０±２℃の恒温水槽に浸漬させた。所定温度に達したビーカー内の水に、上記（５）で調整したいずれかの製剤３ｇを添加、混合し溶解させて、薬液を得た。一方、上述の（６）でＩＲ分析に用いたのと同様のスライドガラスを、上述の（６）と同様の手順で作製した。得られたスライドガラスを３時間水に浸漬した。このスライドガラスの塗布面を上述の薬液に３０分間完全に浸漬させた後、スライドガラスを取り出し、多量の水中に浸漬させてスライドガラスから薬液を除去した後、スライドガラスを室温で放置して乾燥させた。この乾燥したスライドガラスに残存している付着物の量を目視観察することにより、それぞれの薬液の湯垢除去効果を判定した。試験結果を表２、表３に示す。
【００９４】
【表２】
2008039368.tif 000004
【００９５】
【表３】
2008039368.tif 000005
【００９６】
表２及び表３中の記号は下記の内容を表す。
＜湯垢除去効果＞
×  ：湯垢除去部分なし
×△：湯垢除去面積１０％以下
△  ：湯垢除去面積１０〜３０％
△○：湯垢除去面積３０〜５０％
○  ：湯垢除去面積５０〜８０％
○◎：湯垢除去面積８０％以上
◎  ：湯垢完全除去
＜成分＞
プロテアーゼ：タンパク質消化力  １０，０００ｕ／ｇ  以上
αアミラーゼ：デンプン糊精化力  １０，０００ｕ／ｇ  以上
リパーゼ    ：脂肪消化力        １０，０００ｕ／ｇ  以上
アニオンＥ  ：ラウリル硫酸ナトリウム  粉末
アニオンＦ  ：αオレフィンスルフォン酸ナトリウム
アニオンＧ  ：ナフタレンスルフォン酸縮合物
ノニオンＨ  ：ポリオキシエチレンラウリルエーテル
ノニオンＩ  ：ポリオキシエチレン・ポリオキシエプロピレンブロックポリマー
【００９７】
発泡性過炭酸ナトリウムと酵素（プロテアーゼ）を併用することにより、著しい湯垢除去効果を示した（表２の実施例８、９及び比較例３参照）。また、発泡性過炭酸ナトリウムに加えて、プロテアーゼとアミラーゼを両方用いると、発泡性過炭酸ナトリウムとそれらのいずれかの酵素を用いる場合に比べて、用いる酵素量が少ないにもかかわらず、優れた湯垢除去効果を示した（表２の実施例９、１０及び１２参照）。
【００９８】
（８）風呂釜洗浄試験に用いる製剤の調製
発泡性過炭酸ナトリウム：１００ｇ、無水ケイ酸ソーダ微粉末：６ｇ、プロテアーゼ：１ｇ、ナフタレンスルフォン酸縮合物：１ｇ、ＰＥＧ３００：１ｇを均一に混合し、製剤Ａを得た。
リンゴ酸顆粒：２００ｇ、１，２，３ベンゾトリアゾール：１ｇを均一に混合し、製剤Ｂを得た。
【００９９】
（９）風呂釜洗浄試験方法
家庭で通常に使用している２つ穴式風呂釜の穴からファイバースコープを挿入し、風呂釜内壁の状態を観察した後、浴槽壁の上部の穴の５ｃｍ上まで水を張った。浴槽壁の風呂釜連結間口の両方を覆い、かつ用具の上部が浴槽内水面の上に出るような状態になるように、図８に記載の風呂釜洗浄用具を浴槽壁に吸盤で固定し、製剤Ａを用具内に全量投入し溶解した。風呂釜に点火して２分間風呂釜を運転することにより、用具内の洗浄液を風呂釜内に循環させた。そのまま１０分間風呂釜を停止させ放置した後、ホースを用いて用具内の底部に清浄な水道水を注いで、用具内の液体をオーバーフローさせながら、風呂釜を運転し、用具内及び風呂釜内の洗浄液を清浄な水で置換した。風呂釜を停止した後、浴槽内の汚染水（洗浄液と汚れの混濁液）を排水し、しかる後に用具を取り外し、ファイバースコープで風呂釜内を観察した。再度、水道水を浴槽に上穴の５ｃｍ上まで張って、先ほどと同様に、風呂釜洗浄用具を設置し、用具内に風呂釜洗浄剤Ｂを全量投入し、用具内で攪拌して溶解させた。風呂釜を１分運転させた後、１０分放置する操作を３回繰り返した。用具内に清浄な水道水を注いで、用具内の液体をオーバーフローさせながら、風呂釜を運転し、用具内及び風呂釜内の洗浄液を清浄な水で置換した。風呂釜を停止した後、浴槽内の汚染水（洗浄液と汚れの混濁液）を排水し、しかる後に用具を取り外し、ファイバースコープで風呂釜内を観察した。
【０１００】
（１０）風呂釜洗浄試験
風呂釜設置後、３年経過した風呂釜付浴槽を持っている３つの家庭（４人家族２軒、３人家族１軒）において、上記（９）の方法にしたがってそれぞれ風呂釜洗浄試験を行った。洗浄前の風呂釜内壁の観察の結果、いずれの家庭でも、風呂釜内に茶褐色の軟質付着物が認められた。上記製剤Ａを用具内の水に溶解して風呂釜を２分間運転させると、用具内の水に多量の泡が発生し、いずれの風呂釜においてもその泡の中に茶褐色の有機性付着物の断片が認められた。製剤Ａでの洗浄後の風呂釜の観察の結果、２つの家庭の風呂釜では茶褐色の付着物はわずかしか認められず、残りの１つの家庭の風呂釜では付着物は認められたが明らかに減少していることが確認された。これにより、発泡性過炭酸ナトリウムを含有する風呂釜洗浄剤が、実際の風呂釜においても風呂釜内の有機付着物の除去効果を発揮することが確認された。なお、いずれの風呂釜内部も有機性付着物が除去された後には、白色のスケールがほぼ全面を覆っていた。この白色のスケールの一部を採取し、分析したところ、炭酸カルシウムが主成分であることがわかった。
【０１０１】
次に、上記製剤Ｂを用具内の水に添加、溶解した後、風呂釜を１分運転させ、その後１０分放置したところ、いずれの風呂釜でも、風呂釜の口から多量の泡が発生し、その泡と共に有機性の付着物が一緒に排出される現象が認められた。製剤Ｂで洗浄した後の風呂釜内を観察した結果、２つの家庭の風呂釜では白色のスケールの大部分が除去されており、残りの１つの家庭の風呂釜でもスケールは残っているものの明らかに減少していることが確認された。これにより、酸性物質を含有する風呂釜洗浄剤のスケール除去効果が、実際の風呂釜において確認された。また、製剤Ｂで洗浄する前の風呂釜の観察で認められた、少量の有機性付着物は、製剤Ｂでの洗浄によりスケールが減少したことに伴い、いずれの風呂釜でも完全に除去されたことが確認できた。
【０１０２】
（１１）風呂釜洗浄剤拡散試験
２つ穴式風呂釜を備えた浴槽壁の上部の穴の５ｃｍ上まで水（水温４０℃）を張った。浴槽壁の風呂釜連結間口の両方を覆い、かつ用具の上部が浴槽内水面の上に出るような状態になるように、図８に記載の風呂釜洗浄用具を浴槽壁に吸盤で固定し、発泡性過炭酸ナトリウム１００ｇ、無水ケイ酸ソーダ微粉末６ｇを混合した製剤ａを用具内に投入した。１分間放置して薬剤ａを拡散させた後、風呂釜内管の所定の場所から溶液を静かに採取し有効酸素濃度を分析した。なお、風呂釜内管は、上下穴を正面視して、下穴から奥方向に延び（下穴正面奥）、垂直左（右）方向に屈曲して延び（下穴奥最深部）、垂直上方向に屈曲して延び（上穴最深部）、垂直右（左）方向に屈曲して延び（上穴正面奥）、さらに手前方向に屈曲して延びて上穴と連通している。
【０１０３】
【表４】
2008039368.tif 000006
【０１０４】
表４に示すように、上穴正面奥及び下穴正面奥においては、用具内と同様に高い有効酸素量が示され、上穴奥最深部及び下穴奥最深部においても０．１０％以上と、用具内に比べると劣るものの十分に高い有効酸素量が示され、発泡性過炭酸ナトリウムを含有する洗浄剤が風呂釜内管全体に行き渡っていることが明らかとなり、風呂釜を運転することなく、洗浄剤を拡散させることによって十分な洗浄が行えることが判明した。
【図面の簡単な説明】
【０１０５】
【図１】本発明の風呂釜洗浄方法の一実施の形態を示す図である。
【図２】洗浄過程の説明図である。
【図３】風呂釜洗浄用具の構造を示す図である。
【図４】風呂釜洗浄用具の基体部への隔壁部の取付状態を示す図である。
【図５】風呂釜洗浄用具の隔壁部の折り畳み状態を示す図である。
【図６】風呂釜洗浄用具のシール部の作用を示す図である。
【図７】風呂釜洗浄用具の変形例を示す図である。
【図８】風呂釜洗浄用具の変形例を示す図である。
【図９】風呂釜洗浄用具の変形例を示す図である。
【符号の説明】
【０１０６】
１  風呂釜洗浄用具（本体部及び洗浄剤投入口）
２  基体部
３  隔壁部
２１  吸盤
２２  シール部
２６  長尺吸盤
ＢＴ  浴槽
Ｔ  洗浄剤
Ｗ  水面
【図１】
2008039368.tif 000007
【図２】
2008039368.tif 000008
【図３】
2008039368.tif 000009
【図４】
2008039368.tif 000010
【図５】
2008039368.tif 000011
【図６】
2008039368.tif 000012
【図７】
2008039368.tif 000013
【図８】
2008039368.tif 000014
【図９】
2008039368.tif 000015